(57)【特許請求の範囲】
【請求項１】
ほぼ線対称な形状に形成された第１及び第２平板状部を少なくとも有し、第１及び第２平板状部は、両者の間にほぼ扁平な物品を挟持可能に、第１及び第２平板状部の対称軸となる両者の境界縁部において折り畳み可能に形成され、
第１及び第２平板状部における前記境界縁部の両側にある第１平板状部の外側縁部と第２平板状部の外側縁部に、第１及び第２平板状部を折り畳んだ状態において互いに係合する第１及び第２係合手段を設け、
第１係合手段は、第１平板状部の外側縁部に形成された第１凹所と、この第１凹所に設けられた第１舌片とを有し、第１凹所は、第１平板状部の外側縁部から前記境界縁部側に寄った位置にある第１内奥部まで互いに間隔をおいて伸延する第１及び第２端部を有し、第１舌片は、第１内奥部から第１平板状部の外側縁部側に向かって第１端部に接しつつ伸延し、第１内奥部付近で折り曲げ可能に形成され、
第２係合手段は、第２平板状部の外側縁部に形成された第２凹所と、この第２凹所に設けられた第２舌片とを有し、第２凹所は、第１及び第２平板状部を重ねた状態において、第１内奥部、第１端部及び第２端部にそれぞれ重なるように第２内奥部、第３端部及び第４端部を有し、第２舌片は、第２内奥部から第２平板状部の外側縁部に向かって、第２端部に対応する第４端部に接しつつ、かつ第１舌片と接触可能に伸延し、第２内奥部付近で折り曲げ可能に形成されている梱包具。
【請求項２】
請求項１記載の梱包具であって、第２平板状部の外側縁部には、この外側縁部を対称軸として第２平板状部と線対称に形成された第３平板状部が第２平板状部と重なるように折り畳み可能に結合され、第３平板状部の外側縁部には第３係合手段が設けられ、第１及び第２平板状部の境界縁部には、第３係合手段と係合可能な第４係合手段が設けられ、
第３係合手段は、第３平板状部の外側縁部に形成された第３凹所と、この第３凹所に設けられた第３舌片とを有し、第３凹所は、第３平板状部の外側縁部から前記境界縁部側に寄った第３内奥部まで互いに間隔をあけて伸延した第５及び第６端部を有し、第３舌片は、第３内奥部から第３平板状部の外側縁部に向かって第５端部に接しつつ伸延し、第３内奥部付近で折り曲げ可能に形成され、
第４係合手段は、第２平板状部の境界縁部に形成された第４凹所と、この第４凹所に設けられた第４舌片とを有し、第４凹所は、第２及び第３平板状部を重ねた状態において、第３内奥部、第５端部及び第６端部にそれぞれ重なるように第４内奥部、第７端部及び第８端部を有し、第４舌片は、第４内奥部から境界縁部に向かって、第６端部に対応する第８端部に接しつつ、かつ第３舌片と接触可能に伸延し、第４内奥部付近で折り曲げ可能に形成された
梱包具。
【発明の詳細な説明】
【０００１】
【発明の属する技術分野】
本発明は、物品を運搬等するために梱包する梱包具及びこのような梱包具を用いて構成した梱包体に関する。
【０００２】
【従来の技術】
梱包される扁平な物品には、扁平なもの、例えばスピーカパネルがある。このスピーカパネルは、天井埋め込み型スピーカ等の室内側に露出する面に装着されるもので、扁平なパネル枠に、アルミパンチングネットまたはサランネット等を備えたものである。このスピーカパネルを梱包する場合、例えば図６に示すように行われていた。
【０００３】
まず、図６（ａ）に示すように、スピーカパネル２を例えばビニル袋４に収容し、このビニル袋４を、例えばダンボール紙製の梱包材６の中央に配置する。この梱包材６の１対のＵ字状片部８ａ、８ｂを点線１０ａ、１０ｂで示す位置で中央側に折り返し、さらに点線１２ａ、１２ｂで示す位置で中央側に折り返し、同図（ｂ）に示すように２つのＵ字状片部８ａ、８ｂによって枠状部を形成する。次に、Ｕ字片部８ａ、８ｂと直交する位置にある長方形片１４ａ、１４ｂを、同図（ｂ）に点線１６ａ、１６ｂで示す位置で内側に折り返し、さらに点線１８ａ、１８ｂで示す位置で中央側に折り返し、同図（ｃ）に示すように長方形片１４ａ、１４ｂによって枠状部に蓋をする。そして、これら長方形片１４ａ、１４ｂを接着用のテープ２０によって固定する。
【０００４】
【発明が解決しようとする課題】
このような梱包具では、梱包状態からスピーカパネル２を取り出すためには、接着用テープ２０を一々剥がさなければならず、作業が面倒である。更に、このような接着テープを剥がす際に、ダンボールが破損することがあり、梱包具を再利用することができない。或いは、接着用テープをカッターナイフ等を用いて切り離すこともできるが、この作業も面倒であるだけでなく、梱包されているスピーカパネルまでも傷つけることがある。また、接着用テープを切り離して開梱すると、梱包材に接着用テープが残り、梱包材の廃棄時に材料のリサイクル性を悪化させることになる。従って、できる限り接着用テープは使用しないことが望ましい。このように梱包されたスピーカパネル２は、図７に示すように適当な個数だけまとめて輸送箱２４に収容されて搬送される。搬送終了後に輸送箱２４から取り出されるが、梱包材６は扁平な直方体状に組み立てられており、かつ互いに接触した状態で輸送箱２４内に収容されているので、輸送箱２４から取り出すときに、取り出し用の手がかりになるものがなく、取り出しにくい。さらに、輸送箱２４から取り出した梱包具からスピーカパネル２を取り出すが、残された梱包材６はかさばり、その後の処理が面倒である。
【０００５】
本発明は、組立及び分解が簡単な梱包具を提供することを目的とする。また、本発明は、輸送箱等に互いに接触した状態に収容されていても取り出しやすく、再利用や廃棄処理が容易な梱包体を提供することを目的とする。
【０００６】
【課題を解決するための手段】
本発明の一態様による梱包具は、ほぼ線対称な形状に形成された第１及び第２平板状部を有している。第１及び第２平板状部としては、線対称な形状であれば、矩形状、円形、楕円状等の種々の形状のものを使用することができる。第１及び第２平板状部は、両者の間に扁平な物品を挟持可能に、第１及び第２平板状部の対称軸となる両者の境界縁部において折り畳み可能に形成されている。物品としては、扁平なものであれば種々のものを使用することができ、その個数も任意である。第１及び第２平板状部における前記境界縁部の両側にある第１平板状部の外側縁部と第２平板状部の外側縁部に、第１及び第２平板状部を折り畳んだ状態において互いに係合する第１及び第２係合手段が設けられている。第１及び第２係合手段の形成位置は、外側縁部上であれば、任意の位置に形成することができる。第１及び第２係合手段の個数も、両者が同数であれば任意である。第１係合手段は、第１平板状部の外側縁部に形成された第１凹所と、この第１凹所に設けられた第１舌片とを有し、第１凹所は、第１平板状部の外側縁部から前記境界縁部側に寄った位置にある第１内奥部まで互いに間隔をおいて伸延する第１及び第２端部を有し、第１舌片は、第１内奥部から第１平板状部の外側縁部側に向かって第１端部に接しつつ伸延し、第１内奥部付近で折り曲げ可能に形成されている。第２係合手段は、第２平板状部の外側縁部に形成された第２凹所と、この第２凹所に設けられた第２舌片とを有し、第２凹所は、第１及び第２平板状部を重ねた状態において、第１内奥部、第１端部及び第２端部にそれぞれ重なるように第２内奥部、第３端部及び第４端部を有している。第２舌片は、第２内奥部から第２平板状部の外側縁部に向かって、第２端部に対応する第４端部に接しつつ、かつ第１舌片と接触可能に伸延し、第２内奥部付近で折り曲げ可能に形成されている。
【０００７】
この梱包具によれば、例えば第１平板状部上に物品を配置し、第２平板状部を境界縁部で物品を挟むように折り曲げる。次に第１及び第２係合手段を係合させることによって、物品を梱包することができる。また、第１及び第２係合手段を開放すれば、梱包を解くことができる。接着テープを剥がす作業よりも係合手段の開放の方が遙かに容易に行える。しかも、第１係合手段の第１舌片と第２係合手段の第２舌片とを接触させた場合、第１及び第２舌片が互いに接触するだけでなく、第１舌片は第１凹所の第１端部に押しつけられ、第２舌片は第２凹所の第４端部に押しつけられるので、強固に係合状態を維持することができ、自然に係合が解かれることはない。
【０００８】
上記の態様において、第２平板状部の外側縁部には、この外側縁部を対称軸として第２平板状部と線対称に形成された第３平板状部が第２平板状部と重なるように折り畳み可能に結合することができる。このとき、第２平板状部には、扁平な物品の周囲を接触して包囲する開口を形成することもできる。第３平板状部の外側縁部には第３係合手段が設けられている。第１及び第２平板状部の境界縁部には、第３係合手段と係合可能な第４係合手段が設けられている。第３係合手段は、第３平板状部の外側縁部に形成された第３凹所と、この第３凹所に設けられた第３舌片とを有している。第３凹所は、第３平板状部の外側縁部よりも前記境界縁部側に寄った位置にある第３内奥部と、第３内奥部の両端から第３平板状部の外側縁部に向かう第５及び第６端部とを有している。第３舌片は、第３内奥部から第３平板状部の外側縁部に向かって第５端部に接しつつ伸延し、第３内奥部付近で折り曲げ可能に形成されている。第４係合手段は、第２平板状部の境界縁部に形成された第４凹所と、この第４凹所に設けられた第４舌片とを有している。第４凹所は、第２及び第３平板状部を重ねた状態において、第３内奥部、第５端部及び第６端部にそれぞれ重なるように第４内奥部、第７端部及び第８端部を有している。第４舌片は、第４内奥部から境界縁部に向かって、第６端部に対応する第８端部に接しつつ、かつ第３舌片と接触可能に伸延し、第４内奥部付近で折り曲げ可能に形成されている。
【０００９】
このように構成すると、第１及び第２平板状部の係合、第２及び第３平板状部の係合が、それぞれ強固に行われるし、また第１及び第２平板状部の係合の開放、第２平板状部及び第３平板状部の開放も容易に行える。特に、第２の平板状部に開口を設け、この開口によって物品を包囲した場合、この物品が移動することが阻止される。
【００１４】
【発明の実施の形態】
本発明の１実施形態の梱包具３０は、図１（ａ）に示すような扁平な直方体状の形状で、同図（ｂ）に示すように扁平な物品、例えばスピーカパネル３２を梱包するためのものである。このスピーカパネル３２は、袋、例えばビニール袋３４に包まれ、梱包具３０に梱包されている。
【００１５】
梱包具３０は、図２（ａ）、（ｂ）、図３（ａ）、（ｂ）に示すような長尺の平板状体３６を複数回、例えば２回にわたって折り曲げて形成されている。平板状体３６は、例えばダンボール紙によって形成された矩形のもので、その長辺の長さが例えば短辺の約３倍に形成されている。
【００１６】
平板状体３６の折り曲げを容易にするために、平板状体３６の長辺方向に沿って間隔、例えば短辺の長さに相当する距離だけ隔てて、切り込み３８、４０が形成されている。図２（ｂ）に示すように、切り込み３８は表側に、切り込み４０は、裏側に、それぞれ形成されている。
【００１７】
これら切り込み３８、４０によって、平板状体３６には、図２（ａ）における右から左に向かって第１乃至第３の平板状部４２、４４、４６に区画されている。これら平板状部４２、４４、４６は、いずれも正方形状に形成されている。切り込み４０の位置において平板状体３６の第２及び第３の平板状部４４、４６を切り込み４０と反対側に折り曲げることによって、第１平板状部４２と第２平板状部４４とが重ね合わされる。このとき、第１平板状部４２と第２平板状部４４は、境界縁部、例えば切り込み４０を対称軸として線対称に形成されている。第１及び第２平板状部４２、４４を折り曲げた状態において、平板状体３６の第３の平板状部４６を切り込み３８の位置で、切り込み３８と反対側に折り曲げることによって第２平板状部４４と第３平板状部４６とが重ね合わされる。この場合、第２平板状部４４と第３平板状部４６とは、切り込み３８を対称軸として線対称に形成されている。
【００１８】
このように３層に第１乃至第３の平板状部４２、４４、４６を重ね合わせた状態で、スピーカパネル３２を内部に収容するために、各平板状部４２、４４、４６には、開口４８、５０、５２が形成されている。これら開口４８、５０、５２は、例えば円形に形成されている。図１（ｂ）に示すようにスピーカパネル３２は、短円筒状の下部３２ａを有している。この下部３２ａを包囲するように、例えば下部３２ａの周囲に接するように、下層である第１平板状部４２の中央に開口４８が形成されている。スピーカパネル３２は、下部３２ａの上に下部３２ａよりも直径が大きい円板状部３２ｂを有している。この円板状部３２ｂの周囲を包囲するように、例えば円板状部３２ｂの周囲に接するように、開口５０が中間層である第２平板状部４４に形成されている。スピーカパネル３２は、円板状部３２ｂの上部に、円板状部３２ｂよりも直径の小さいドーム状部３２ｃを有している。このドーム状部３２ｃを包囲するように、例えばドーム状部３２ｃの周囲に接するように、上層である第３平板状部４６に開口５２が形成されている。
【００１９】
このようにスピーカパネル３２は、その全周囲が第１平板状部４２乃至第３平板状部４６に接触した状態で包囲され、梱包具３０の運搬時に梱包具３０内においてスピーカパネル３２が移動することはなく、これら第１乃至第３平板状部４２乃至４６が緩衝材として機能する。しかも、これら第１乃至第３平板状部４２乃至４６は、１枚の平板状体３６によって構成されているので、別々の部品が存在せず、部品管理の手間が省ける。
【００２０】
折り畳んだ状態の第１乃至第３の平板状部４２、４４、４６が自然に開くのを防止するために、第１乃至第４の係合手段が設けられている。
【００２１】
即ち、第１の平板状部４２の外側縁部に第１の係合手段が設けられている。第１係合手段では、第１平板状部４２の外側縁部の長さ方向に沿って間隔をあけて、複数個、例えば２個の第１凹所５４が形成されている。これら第１凹所５４は、概略コ字状に形成され、外側縁部よりも内側の位置に、内奥部、例えば底部５４ａを有している。底部５４ａは、外側縁部の長さ方向に沿って形成されている。これら底部５４ａの両端からこれにほぼ垂直に外側縁部まで端部５４ｂ、端部５４ｃが形成されている。
【００２２】
各第１凹所５４内に第１の舌片５６がそれぞれ形成されている。第１の舌片５６は、端部５４ｃ側に寄った位置の底部５４ａから外側縁部側に向かって突出しており、その側縁が端部５４ｃに接している。第１の舌片５６の先端は、第１平板状部４２の外側縁部付近に位置している。第１の舌片５６は、外側縁部側が長く、底部５４ａ側が短い平行な２辺を有し、更に、端部５４ｃ側が直線状で、端部５４ｂ側が傾斜している２辺も有する台形状に形成されている。第１の舌片５６は、底部５４ａ付近で平板状体３６の表裏方向に折り曲げ可能に、ダンボール紙によって第１平板状部４２と一体に形成されている。
【００２３】
第２の係合手段が、第２平板状部４４の外側縁部、即ち、切り込み３８が形成されている縁部に設けられている。第２の係合手段は、第２の凹所５８を有している。第２の凹所５８は、切り込み３８の長さ方向に間隔をあけて、複数個、例えば２個形成されている。各第２の凹所５８の設置位置は、第１の平板状部４２と第２の平板状部４４とを重ねた状態で、第１の凹所５４と重なる位置である。第２凹所５８は、第１凹所５４の２倍の幅寸法を持つ矩形の窓状に、第２平板状部４４及び第３平板状部４６に跨って形成されている。これは、第２及び第３平板状部４４、４６を重ね合わせたとき、第２の凹所５８の形状を、第１の凹所５４の形状と一致させるためである。
【００２４】
第２の凹所５８は、第２平板状部４４の外側縁部から内側に寄った位置に内奥部、例えば底部５８ａを有している。各底部５８ａは、第２平板状部４４の外側縁部に平行に形成されている。各底部５８ａの両端からそれぞれ第２平板状部４４の外側縁部を超えて、第３平板状部４６内まで端部５８ｂ、５８ｃが形成されている。これら端部５８ｂ、５８ｃの先端間に底部５８ａと平行に先端部５８ｄが形成されている。端部５８ｂは、第１の凹所５４の端部５４ｂと同一直線上に位置し、端部５８ｃは、第１の凹所５４の端部５４ｃと同一直線上に位置する。
【００２５】
底部５８ａに第２舌片６０が形成されている。第２舌片６０は、端部５８ｂ側に寄った位置の底部５８ａから外側縁部側に向かって突出し、それの側縁が端部５８ｂに接している。第２舌片６０の先端は、第２平板状部４４の外側縁部付近に位置している。第２の舌片６０は、外側縁部側が長く、底部５８ａ側が短い平行な２辺を有し、端部５８ｂ側が直線状で、端部５８ｃ側が傾斜している２辺も有する台形状に形成されている。第２の舌片６０は、底部付近で平板状体３６の表裏方向に折り曲げ可能に、ダンボール紙によって第２の平板状部４４と一体に形成されている。
【００２６】
第２の平板状部４４を第１の平板状部４２上に折り曲げたとき、第２の舌片６０の傾斜辺と第１の舌片５６の傾斜辺とが接近した位置にある。従って、第１の舌片５６と第２の舌片６０とを互いに反対方向に折り曲げると、互いの傾斜辺同士が接触し、摩擦によって係合する。さらに、両者が互いに押圧することによって、第１の舌片５６は端部５４ｃ側に、第２の舌片６０は端部５８ｂ側にそれぞれ押圧され、端部５４ｃ、５８ｂと摩擦係合する。舌片同士の接触だけでなく、舌片と端部との接触も行われるので、強固に係合される。なお、係合の解除は、第１及び第２の舌片５８、６０を係合させるときに折り曲げた方向とそれぞれ反対方向に、これら舌片５８、６０を折り曲げることによって行える。これら第１及び第２の平板状部４２，４４の係合は、第１及び第２の係合手段によって行われ、接着テープ等によって行われていない。従って、梱包具３０を分解する際に、ダンボール紙が破損することがなく、再利用が可能である。
【００２７】
第３の係合手段が、第３平板状部４６の外側縁部に設けられている。第３係合手段では、第３平板状部４６の外側縁部の長さ方向に沿って間隔をあけて、複数個、例えば２個の第３凹所６２が形成されている。これら第３凹所６２も、概略コ字状に形成され、外側縁部よりも内側に、内奥部、例えば底部６２ａを有している。各底部６２ａは、外側縁部に長さ方向に沿って間隔をあけて、形成されている。これら底部６２ａの両端から、これにほぼ垂直に外側縁部まで端部６２ｂ、端部６２ｃが形成されている。端部６２ｂは、端部５４ｂ、５８ｂと同一直線上に位置し、端部６２ｃは、端部５４ｃ、５８ｃと同一直線上に位置している。
【００２８】
第３凹所６２内に第３の舌片６４が形成されている。第３の舌片６４は、端部６２ｃ側に寄った位置の底部６２ａから外側縁部側に向かって突出し、側縁が端部６２ｃに接している。第３の舌片６４の先端は、第３平板状部４６の外側縁部付近に位置している。第３の舌片６４は、外側縁部側が長く、底部６２ａ側が短い平行な２辺を有し、更に端部６２ｃ側が直線状で、端部６２ｂ側が傾斜している２辺も有する台形状に形成されている。第３の舌片６４は、底部付近で平板状体３６の表裏方向に折り曲げ可能に、ダンボール紙によって第３の平板状部４６と一体に形成されている。
【００２９】
第４の係合手段が、第１の平板状部４２と第２平板状部４４の境界縁部、即ち、切り込み４０が形成されている縁部に設けられている。第４の係合手段は、第４の凹所６６を有している。第４の凹所６６は、切り込み４０の長さ方向に間隔をあけて、複数個、例えば２個形成されている。第４の凹所６６の設置位置は、第２の平板状部４４と第３の平板状部４６とを重ねた状態で、第３の凹所６２と重なる位置である。第４の凹所６６は、第３の凹所６２の２倍の幅寸法を持つ矩形の窓状に、第１の平板状部４２及び第２の平板状部４４に跨って形成されている。これは、第１及び第２平板状部４２、４４を重ね合わせたとき、第４の凹所６６の形状を、第３の凹所６２の形状と一致させるためである。
【００３０】
第４の凹所６６は、境界縁部から第２の平板状部４４の内側に寄った位置に内奥部、例えば底部６６ａを有している。底部６６ａは、境界縁部に平行に形成されている。これら底部６６ａの両端からそれぞれ境界縁部を超えて、第１の平板状部４２内まで端部６６ｂ、６６ｃが形成されている。これら端部６６ｂ、６６ｃの先端間に底部６６ａと平行に先端部６６ｄが形成されている。端部６６ｂは、第３の凹所６２の端部６２ｂと同一直線上に位置し、端部６６ｃは、第３の凹所６２の端部６２ｃと同一直線上に位置する。
【００３１】
第２の平板状部４４を第１の平板状部４２上に折り曲げ、更に第３の平板状部４６を第２の平板状部上に折り曲げたとき、２つ折りにされた第４の凹所６６と、第３の凹所６２とが互いに重なって位置し、第３の舌片６４の傾斜辺と第４の舌片６８の傾斜辺とが接近した位置にある。従って、第３の舌片６４と第４の舌片６８とを互いに反対方向に折り曲げると、互いの傾斜辺同士が接触し、摩擦によって係合する。さらに、互いが押圧することによって第３の舌片６４は端部６２ｃ側に、第４の舌片６８は端部６６ｂ側にそれぞれ押圧され、摩擦係合する。舌片同士の接触だけでなく、舌片と端部との接触も行われるので、強固に係合される。なお、係合の解除は、第３及び第４の舌片６４、６８を係合させるときに折り曲げた方向とそれぞれ反対方向に折り曲げることによって容易に行える。
【００３２】
この梱包具では、例えば図２（ａ）に示す状態において、ビニール袋３４に収容したスピーカパネル３２を、その下部３２ａが開口４８に入るように第１の平板状部４２に配置する。次に、切り込み４０の位置において、この切り込み４０と反対側に第２の平板状部４４及び第３の平板状部４６を折り曲げ、第２の平板状部４４を第１の平板状部４２に重ねる。この状態を図４（ａ）に示す。この状態では、スピーカパネル３２の平板状部３２ｂは、第２の平板状部４４の開口５０に接触している。
【００３３】
この状態において、第３の平板状部４６を切り込み３８の反対側に折り返し、第３の平板状部４６を第２の平板状部４４の上に重ねる。重ねた状態を図４（ｂ）に示す。
【００３４】
この状態では、第１の凹所５４と第２の凹所５８とが重なり、さらに第３の凹所６２と第４の凹所６６とが重なっている。ここで、第１の舌片５６と第２の舌片６０とを係合させ、さらに第３の舌片６４と第４の舌片６８とを係合させる。これによって折り畳まれた各平板状部４２、４４、４６が自然に開かれることはない。このとき、図１（ｂ）に示すように、ビニル袋３４の一部を第３の平板状部４６と第２の平板状部４４との隙間から外部に突出させておく。なお、第１平板状部４２と第２の平板状部４４との隙間からビニル袋３４の一部を突出させても良い。
【００３５】
このようにスピーカパネル３２を梱包した梱包具３０は、図５に示すように輸送用の箱８０に収容される。輸送用の箱８０は、上部が開口したもので、この開口から各梱包具３０が内部に収容される。この収容は、各梱包具３０の平板状部が互いに接触した状態にぎっしりと詰めた状態に行われる。このとき、梱包具３０から突出させたビニル袋３４の一部が、輸送用の箱８０の開口側に位置するように各梱包具３０は、輸送用の箱８０内に収容される。
【００３６】
この箱８０が所定の場所まで輸送されると、この箱８０の上部開口が開かれる。この箱８０の上部開口から、適当な１つの梱包具３０から突出しているビニル袋３４の一部を上方に持ち上げて、この１つの梱包具３０を輸送用の箱８０から取り出す。取り出された梱包具３０の係合手段を外して、梱包具３０からビニル袋３４に入ったスピーカパネル３２を取り出す。
【００３７】
一方、輸送用の箱８０では、１つの梱包具３０が取り出されたことにより、内部に余裕ができるので、輸送用の箱８０内に残っている各梱包具３０の係合を輸送用の箱８０内において外すことができる。係合が外された梱包具３０からビニル袋３４に入ったスピーカパネル３２が取り出され、かつ輸送用の箱８０からも取り出される。従って、輸送用の箱８０内には梱包具３０のみが残り、ビニル袋３４は、輸送用の箱８０の外部にある。これによって、一般にゴミの弁別収集が行われる際に、一緒に捨てることができないダンボール紙製の梱包具３０や輸送箱８０と、ビニル袋３４とを、簡単に弁別できる。
【００３８】
上記の実施の形態では、第１乃至第３の平板状部４２、４４、４６を設けたが、スピーカパネル３４よりも薄いもの、例えばコンパクトディスクやフロッピィディスク等を梱包する場合には、第１及び第２の平板状部４２、４４のみを用いても良い。この場合、開口５２、４８は不要であり、開口５０の形状も梱包される物品の外部形状に一致した形状とすればよいし、係合手段も、第１及び第２の凹所、第１及び第２の舌片だけ設ければよい。また、１つのスピーカパネル３４を梱包したが、複数個の物品を梱包することもできる。その場合、開口４８、５０、５２は、梱包する物品の数に応じて位置や形状を適切に変更すればよい。上記の実施の形態では、第１乃至第４の係合手段は、それぞれ２個ずつ設けたが、その個数は任意に変更することができ、最低限度１個だけ設ければよい。各係合手段の凹所は、コ字状としたが、内奥部と端部とを有するものであれば、他の形状のものでもよく、例えばＵ字状とすることもできる。各平板状部は、正方形状のものを示したが、重ね合わせたとき、同一形状となるものであれば、円形、楕円形、多角形等種々の形状とすることができる。また、上記の実施の形態では、第１の平板状部４２の上に第２の平板状部４４を嵩ね、その上に第３の平板状部４６を重ねたが、例えば第２の平板状部４４の上に第１の平板状部４２及び第３の平板状部４６の一方を嵩ね、その上に第１及び第３の平板状部４６の他方を重ねることもできる。また、上記の実施の形態では、３枚の平板状部４２、４４、４６を重ねたが、梱包する物品がかなり高さ寸法のあるものの場合、更に多くの平板状部を重ねて物品を梱包するように構成してもよい。また、上記の実施の形態では、梱包具の材料としてダンボール紙を使用したが、これに限ったものではなく、例えば合成樹脂を使用することもできる。
【００３９】
【発明の効果】
以上のように、本発明による梱包具では、係合手段の係合離脱によって平板状部を結合または分離することができるので、梱包具の組立及び分解を容易に行うことができる。更に、本発明によれば、平板状部の組立に接着テープ等を使用せずに、係合手段を用いているので、平板状部がダンボール紙等で構成されていても、分解時に平板状部が破損することがなく、再利用が可能である。
【図面の簡単な説明】
【図１】本発明の１実施の形態の梱包具の斜視図及び物品を梱包した状態の縦断面図である。
【図２】図１の梱包具を構成するための板状体の正面図及び底面図である。
【図３】図２の板状体の背面図及び平面図である。
【図４】図１の梱包具の組立過程を示す図である。
【図５】輸送用の箱に収容された図１の梱包具を輸送用の箱から取り出す状態を示す斜視図である。
【図６】従来の梱包具の組み立て図である。
【図７】図６の梱包具を輸送用の箱に収容する状態を示す斜視図である。
【符号の説明】
４２  第１の板状部
４４  第２の板状部
４６  第３の板状部
５４  第１の凹所（第１の係合手段）
５６  第１の舌片（第１の係合手段）
５８  第２の凹所（第２の係合手段）
６０  第２の舌片（第２の係合手段）
６２  第３の凹所（第３の係合手段）
６４  第３の舌片（第３の係合手段）
６６  第４の凹所（第４の係合手段）
６８  第４の舌片（第４の係合手段）
【図１】
0004307756.tif 000002
【図２】
0004307756.tif 000003
【図３】
0004307756.tif 000004
【図４】
0004307756.tif 000005
【図５】
0004307756.tif 000006
【図６】
0004307756.tif 000007
【図７】
0004307756.tif 000008